(57)【特許請求の範囲】
【請求項１】
患者が看護師を呼び出すためにベッド毎に設置されたナースコール子機と、前記ナースコール子機からの呼出信号を中継すると共に呼出発生を病室出入口で通知動作する廊下灯と、患者からの呼び出しに応答するためのナースコール親機と、機器間の通信を制御する制御機と、看護師が携行して前記ナースコール子機からの呼び出しに応答するための携帯端末とを備えて、前記廊下灯と前記ナースコール親機と前記制御機との間がＬＡＮ接続されて成るナースコールシステムであって、
前記ナースコール子機から前記携帯端末に送信される呼出信号は前記制御機を介して送信される一方、前記ナースコール子機と前記携帯端末との間の通話信号はピアツーピアで実施され、
前記制御機は、通話中の前記携帯端末に対して新たな呼び出しが発生したら、前記携帯端末と通話路形成中の前記ナースコール子機に向けて通知信号を送信する呼出発生通知部を具備する一方、
前記ナースコール子機及び前記廊下灯のうち何れか一方に、前記通知信号を受けたら通知音を生成する通知音生成部、及び生成した通知音を通話音に割り込ませて通話先の前記携帯端末へ送信する通知音送信部が設けられ、
前記ナースコール子機と通話路形成中の前記携帯端末に新たなナースコール子機の呼び出しが発生したら、前記呼出発生通知部が通話路形成中の前記ナースコール子機に向けて通知信号を送信し、前記通知信号を受けた前記通知音送信部が前記通知音生成部により生成された通知音を通話音に割り込ませて通話先の前記携帯端末へ送信することを特徴とするナースコールシステム。
【発明の詳細な説明】
【技術分野】
【０００１】
本発明はナースコールシステムに関し、詳しくは看護師が呼び出しに応答するための携帯端末を携行し、各機器がＬＡＮ接続されて成るナースコールシステムに関する。
【背景技術】
【０００２】
ナースコール子機が接続される廊下灯とナースコール親機との間をＬＡＮ回線を介して接続したナースコールシステムがある。このようなナースコールシステムでは、インターネットプロトコル（ＩＰ）が適用され、看護師が携行する携帯端末に呼び出しを通知できるシステムでは、交換機にＩＰ交換機が使用される（例えば、特許文献１参照）。
そして、ナースコール子機からの呼び出しを受けて、ナースコール親機でも呼び出しを実施するのに加えて、担当看護師或いは担当する看護師チームに関連付けられている複数の携帯端末にも呼び出しが掛かり、何れかで応答することでスムーズな対応を可能としている。
【先行技術文献】
【特許文献】
【０００３】
【特許文献１】特開２０１０−２０００２１号公報
【発明の概要】
【発明が解決しようとする課題】
【０００４】
上述した従来のＬＡＮ接続されたナースコールシステムでは、ナースコール子機からの呼び出しに携帯端末で応答した場合、ナースコール子機と携帯端末との通信はピアツーピア（Peer to Peer）で実施される。この場合、通話中に他のナースコール子機から新たな呼び出しが発生しても、割込信号を送信してそれを通知できなかったため、携帯端末で応答中の看護師は新たな呼び出しが発生していることを認識できない問題があった。
【０００５】
そこで、本発明はこのような問題点に鑑み、ピアツーピアで呼び出しに応答する携帯端末を具備しても、通話中の携帯端末に対して新たな呼び出しが発生したら、それを通話中の携帯端末で認識できるナースコールシステムを提供することを目的としている。
【課題を解決するための手段】
【０００６】
上記課題を解決する為に、請求項１の発明は、患者が看護師を呼び出すためにベッド毎に設置されたナースコール子機と、ナースコール子機からの呼出信号を中継すると共に呼出発生を病室出入口で通知動作する廊下灯と、患者からの呼び出しに応答するためのナースコール親機と、機器間の通信を制御する制御機と、看護師が携行してナースコール子機からの呼び出しに応答するための携帯端末とを備えて、廊下灯とナースコール親機と制御機との間がＬＡＮ接続されて成るナースコールシステムであって、ナースコール子機から携帯端末に送信される呼出信号は制御機を介して送信される一方、ナースコール子機と携帯端末との間の通話信号はピアツーピアで実施され、制御機は、通話中の携帯端末に対して新たな呼び出しが発生したら、携帯端末と通話路形成中のナースコール子機に向けて通知信号を送信する呼出発生通知部を具備する一方、ナースコール子機及び廊下灯のうち何れか一方に、通知信号を受けたら通知音を生成する通知音生成部、及び生成した通知音を通話音に割り込ませて通話先の携帯端末へ送信する通知音送信部が設けられ、ナースコール子機と通話路形成中の携帯端末に新たなナースコール子機の呼び出しが発生したら、呼出発生通知部が通話路形成中のナースコール子機に向けて通知信号を送信し、通知信号を受けた通知音送信部が通知音生成部により生成された通知音を通話音に割り込ませて通話先の携帯端末へ送信することを特徴とする。
【発明の効果】
【０００７】
本発明によれば、呼出操作されたナースコール子機の呼出信号送信先の携帯端末が、他のナースコール子機とピアツーピアで通話中であっても、通話中のナースコール子機から通話先の携帯端末に対して通知音が送信される。よって、ピアツーピアで通話がなされても、通話中の看護師は新たな呼び出しが発生したことを認識でき、応答待ちの患者に対してスムーズな対応が可能となる。
【図面の簡単な説明】
【０００８】
【図１】本発明に係るナースコールシステムの一例を示す構成図である。
【図２】プレート子機の回路ブロック図である。
【図３】制御機の回路ブロック図えある。
【発明を実施するための形態】
【０００９】
以下、本発明を具体化した実施の形態を、図面を参照して詳細に説明する。図１は本発明に係るナースコールシステムの一例を示す構成図であり、１はベッド毎に設置されて患者が看護師を呼び出すためのナースコール子機、２は病室毎にその出入口に設置されて呼出発生を通知する廊下灯、３はナースステーションに設置されてナースコール子機１からの呼び出しに応答するためのナースコール親機、４は機器間の通信を制御する制御機、５は看護師が携行する携帯端末、６は携帯端末５の通信を管理する交換機、７は携帯端末５と通信するために適宜箇所に設置された基地局である。
【００１０】
廊下灯２、ナースコール親機３、制御機４、及び交換機６は互いにＬＡＮ接続され、ナースコール子機１は廊下灯２に伝送線Ｌ１を介して接続されている。尚、８はＬＡＮ、９は機器をＬＡＮ接続するためのＨＵＢを示し、各機器間はインターネットプロトコルにより通信を実施し、交換機６はＩＰ−ＰＢＸが使用される。
【００１１】
ナースコール子機１は、患者が呼出操作する呼出握りボタン１ａと、壁面に設置されて呼出握りボタン１ａが接続されるプレート子機１ｂとを備えている。
図２はプレート子機１ｂの回路ブロック図を示し、プレート子機１ｂは呼出握りボタン１ａを接続する握りボタン接続部１１、通話するためのマイク１２及びスピーカ１３、通話回路１４、後述する通知音を生成する通知音生成部１５、呼出信号のリセット等を行う復旧ボタン１６、プレート子機１ｂを制御する子機ＣＰＵ１７、廊下灯２と接続する子機ＩＦ１８等を備えている。
【００１２】
廊下灯２は、病室内の患者からナースコール子機１による呼び出しが発生したら発光して周囲に通知する発光通知部２１、病室の患者情報を表示する患者情報表示部２２、通知動作等をリセットする復旧ボタン２３等を備えている。
【００１３】
ナースコール親機３は、呼び出しに応答するためのハンドセット３１と、入院患者一覧を表示した患者一覧表示部３２とを備えたボード型親機３ａ、及び患者の詳細情報や設定情報を表示するためのディスプレイ３３が接続された管理用パーソナルコンピュータ３ｂとを備えている。
【００１４】
制御機４は、図３の回路ブロック図に示すように構成され、ナースコール子機１毎の呼出先携帯端末５を記憶する呼出先テーブル記憶部４１、通話中の携帯端末５を記憶する話中端末記憶部４２、呼出制御を行うと共に制御機４を制御する制御機ＣＰＵ４３、ＬＡＮ８を介して廊下灯２及びナースコール親機３と通信する第１通信ＩＦ４４、交換機６と通信する第２通信ＩＦ４５等を備えている。
【００１５】
上記の如く構成されたナースコールシステムの動作を以下説明する。但し、呼出動作を中心に説明する。
呼び出しの無い待受状態で何れかのナースコール子機（以下、「第１子機」と称する。）１の呼出握りボタン１ａが呼出操作されると、第１子機１のプレート子機１ｂから呼出信号が廊下灯２に送出される。呼出信号を受信した廊下灯２は、子機ＩＤ及び廊下灯ＩＤ等を付与した呼出信号をＨＵＢ９を介して制御機４に送信する。
この呼出信号を受信した制御機４は、制御機ＣＰＵ４３の制御によりナースコール親機３及び携帯端末５に呼出信号を送信する。尚、携帯端末５の呼び出しは、第１子機１に関連付けられている携帯端末５を呼出先テーブル記憶部４１から読み取り、その携帯端末５に対して呼出信号が送信される。
呼出信号は交換機６に送信され、交換機６から基地局７を介して携帯端末５に送信される。こうして、ナースコール親機３及び、携帯端末５で呼出音が報音される。
【００１６】
呼出音により呼出発生を認識した看護師が携帯端末５を応答操作すると、応答信号が交換機６を介して制御機４に送信される。応答信号を受信した制御機４は、制御機ＣＰＵ４３の制御により、交換機６を介して携帯端末５と第１子機１との間がピアツーピアで接続されて通話が可能となる。このとき、制御機ＣＰＵ４３は通話中となった携帯端末５の情報を話中端末記憶部４２に記憶する。
このように、呼出信号は制御機４を介して携帯端末５に送信されるが、応答操作後は制御機４を介さずＬＡＮ８を介して第１子機１と携帯端末５がピアツーピアで接続され通話が実施される。
【００１７】
この状態において、通話中の携帯端末５が関連付けられている他のナースコール子機（以下、「第２子機」と称する。）１から呼び出しが発生すると、現在応答中の携帯端末５に対して以下の様な制御を実施す。
第２子機１から送信された呼出信号は、上記と同様の経路を介して制御機４で受信される。この呼出信号を受けた制御機ＣＰＵ４３は、呼出先テーブル記憶部４１の情報から呼出信号を送信する携帯端末５を把握するが、同時にこの携帯端末５が第１子機１と通話中であることを話中端末記憶部４２の情報から認識する。この結果、制御機ＣＰＵ４３は、第２子機１から呼び出しがあったことを通知するための通知信号を生成して第１子機１に送信する。
【００１８】
尚、携帯端末５と第１子機１間はピアツーピアで接続されていることから、制御機４から応答中の携帯端末５に対して新たな呼び出しが発生したことを知らせる通知音を送信することはできない。
【００１９】
通知信号を受信した第１子機１は、子機ＣＰＵ１７の制御により通知音生成部１５が「ピピッ」等の通知音を作成し、子機ＣＰＵ１７が通話先の携帯端末５への送話音信号に通知音を割り込ませて送信する。この通知音は送話音声信号と共に、廊下灯２、ＨＵＢ９、交換機６、基地局７を介して携帯端末５に送信され、第１子機１との通話中の携帯端末５において「ピピッ」等の通知音が流れる。これにより、看護師は第１子機１との通話中に新たな呼び出しが発生したことを認識することができる。
【００２０】
このように、呼出操作されたナースコール子機１の呼出信号送信先の携帯端末５が、他のナースコール子機１とピアツーピアで通話中であっても、あたかも割込信号が送信されるように通話中のナースコール子機１から通話先の携帯端末５に対して通知音が送信される。よって、ピアツーピアで通話がなされても、通話中の看護師は新たな呼び出しが発生したことを認識でき、応答待ちの患者に対してスムーズな対応が可能となる。
【００２１】
尚、上記実施形態では、ナースコール子機１に通知音生成部１５を設けて、ナースコール子機１から通話先の携帯端末５に通知音を送信する構成となっているが、信号を中継する廊下灯２に通知音生成部１５を設けて、廊下灯２から携帯端末５に対して通知音を送信しても良い。廊下灯２に設ければ、個々のナースコール子機１に設ける必要が無くなるため、回路を削減できる。
【符号の説明】
【００２２】
１・・ナースコール子機、１ａ・・呼出握りボタン、１ｂ・・プレート子機、２・・廊下灯、３・・ナースコール親機、４・・制御機、５・・携帯端末、６・・交換機、９・・ＨＵＢ、１５・・通知音生成部、１７・・子機ＣＰＵ（通知音送信部）、４２・・話中端末記憶部、４３・・制御機ＣＰＵ（呼出発生通知部）。
【図１】
0006035214.tif 000002
【図２】
0006035214.tif 000003
【図３】
0006035214.tif 000004